(57)【特許請求の範囲】
【請求項１】
彫刻刀等を収納するための収納ケースであって、
長手方向の一方面が開放されたほぼ直方体形状を有し、前記長手方向に平行な一対の側板部を備えたケース本体と、
前記側板部の各々の一部を覆うように配置され、前記ケース本体の周りに前記長手方向に摺動自在に取付けられたスライド体と、
前記一方面の一部を覆うように取付けられた上蓋と、
前記一方面の残部を覆うように取付けられ、前記上蓋と嵌合する下蓋とを備え、
前記側板部の各々には、前記長手方向に延びるガイド溝が形成され、
前記上蓋には、前記側板部の各々の外面に延びる一対の第１支持体が接続され、前記第１支持体の各々には、その端部の内方側に突出し、前記ガイド溝に係合して移動自在の第１軸体と、前記第１支持体の前記端部から所定距離離れて外方側に突出する第１突起体とが形成され、
前記下蓋には、前記側板部の各々の外面に延びる一対の第２支持体が接続され、前記第２支持体の各々には、その端部の内方側に突出し、前記ガイド溝に係合して移動自在であって前記第１軸体より前記一方面側に位置する第２軸体と、前記第２支持体の前記端部から所定距離離れて外方側に突出する第２突起体とが形成され、
前記スライド体の前記側板部の各々に対向する一対の内面には、前記第１突起体及び前記第２突起体の各々と係合し、前記スライド体の前記長手方向であって前記一方面とは反対方向の収納方向への移動に伴って前記上蓋及び前記下蓋が開くようにガイドする第１案内溝及び第２案内溝が形成された、収納ケース。
【請求項２】
前記第１案内溝は、前記長手方向に平行な第１水平部と前記第１水平部の前記上蓋側の端部に接続され、前記上蓋側に向かって斜め上方に延びる上方傾斜部とから構成され、
前記第２案内溝は、前記長手方向に平行な第２水平部と前記第２水平部の前記下蓋側の端部に接続され、前記下蓋側に向かって斜め下方に延びる下方傾斜部とから構成され、
前記スライド体の移動量が前記一方面側の初期位置から前記収納方向に対して所定範囲にある時、前記第１突起体及び前記第２突起体は前記第１水平部及び前記第２水平部に係合する、請求項１記載の収納ケース。
【請求項３】
前記側板部の各々には、前記上蓋及び前記下蓋が閉状態において、前記上蓋の前記第１支持体及び前記下蓋の第２支持体の前記収納方向への移動を阻止する突状体が形成された、請求項２記載の収納ケース。
【請求項４】
前記スライド体が前記所定範囲を超えて前記収納方向へ移動した時、前記第１突起体は前記上方傾斜部に係合すると共に前記上蓋が開き、前記第１支持体の姿勢は前記突状体との接触を回避するように変化する、請求項３記載の収納ケース。
【請求項５】
前記上蓋が所定量だけ前記収納方向に移動した時、前記第２突起体は前記下方傾斜部に係合すると共に前記下蓋が開き、前記第２支持体の姿勢は前記突状体との接触を回避するように変化する、請求項４記載の収納ケース。
【請求項６】
前記第１軸体が前記ガイド溝の前記収納方向における後端に当接した状態において、前記スライド体は更に前記収納方向に移動できるように前記ケース本体に係合する、請求項２から請求項５のいずれかに記載の収納ケース。
【請求項７】
前記スライド体には、前記ケース本体に係合して前記収納方向への前記スライド体の移動を阻止する第１位置と前記ケース本体との係合が解除された第２位置との間で移動自在のロック体が取付けられ、前記ロック体は前記第１位置に移動するように付勢される、請求項１から請求項６のいずれかに記載の収納ケース。
【発明の詳細な説明】
【技術分野】
【０００１】
この発明は収納ケースに関し、特に彫刻刀等を収納するための収納ケースに関するものである。
【背景技術】
【０００２】
従来の収納ケースにおいて、例えば彫刻刀を収納するための収納ケースでは、蓋をケース本体に覆いかぶせることで、ケース本体と蓋とを係合させるものが用いられていた。
【発明の開示】
【発明が解決しようとする課題】
【０００３】
上記のような収納ケースでは、収納されている彫刻刀を取出すにはケース本体と蓋とを分離させなければならいため取出しに手間がかかっていた。又、分離させた蓋の置き場所を確保する必要があった。更に、ケース本体と蓋とが分離するため、蓋のみを紛失してしまうおそれもあった。
【０００４】
この発明は、上記のような課題を解決するためになされたもので、収納物が取出しやすい、ケース本体と蓋とが一体となった収納ケースを提供することを目的とする。
【課題を解決するための手段】
【０００５】
上記の目的を達成するために、請求項１記載の発明は、彫刻刀等を収納するための収納ケースであって、長手方向の一方面が開放されたほぼ直方体形状を有し、長手方向に平行な一対の側板部を備えたケース本体と、側板部の各々の一部を覆うように配置され、ケース本体の周りに長手方向に摺動自在に取付けられたスライド体と、一方面の一部を覆うように取付けられた上蓋と、一方面の残部を覆うように取付けられ、上蓋と嵌合する下蓋とを備え、側板部の各々には、長手方向に延びるガイド溝が形成され、上蓋には、側板部の各々の外面に延びる一対の第１支持体が接続され、第１支持体の各々には、その端部の内方側に突出し、ガイド溝に係合して移動自在の第１軸体と、第１支持体の端部から所定距離離れて外方側に突出する第１突起体とが形成され、下蓋には、側板部の各々の外面に延びる一対の第２支持体が接続され、第２支持体の各々には、その端部の内方側に突出し、ガイド溝に係合して移動自在であって第１軸体より一方面側に位置する第２軸体と、第２支持体の端部から所定距離離れて外方側に突出する第２突起体とが形成され、スライド体の側板部の各々に対向する一対の内面には、第１突起体及び第２突起体の各々と係合し、スライド体の長手方向であって一方面とは反対方向の収納方向への移動に伴って上蓋及び下蓋が開くようにガイドする第１案内溝及び第２案内溝が形成されたものである。
【０００６】
このように構成すると、スライド体を収納方向に移動させると、上蓋及び下蓋が開放する。
【０００７】
請求項２記載の発明は、請求項１記載の発明の構成において、第１案内溝は、長手方向に平行な第１水平部と第１水平部の上蓋側の端部に接続され、上蓋側に向かって斜め上方に延びる上方傾斜部とから構成され、第２案内溝は、長手方向に平行な第２水平部と第２水平部の下蓋側の端部に接続され、下蓋側に向かって斜め下方に延びる下方傾斜部とから構成され、スライド体の移動量が一方面側の初期位置から収納方向に対して所定範囲にある時、第１突起体及び第２突起体は第１水平部及び第２水平部に係合するものである。
【０００８】
このように構成すると、スライド体の移動量が所定範囲にある時には、上蓋及び下蓋のいずれも開かない。
【０００９】
請求項３記載の発明は、請求項２記載の発明の構成において、側板部の各々には、上蓋及び下蓋が閉状態において、上蓋の第１支持体及び下蓋の第２支持体の収納方向への移動を阻止する突状体が形成されたものである。
【００１０】
このように構成すると、上蓋及び下蓋に収納方向に力を加えてもケース本体側へ移動しない。
【００１１】
請求項４記載の発明は、請求項３記載の発明の構成において、スライド体が所定範囲を超えて収納方向へ移動した時、第１突起体は上方傾斜部に係合すると共に上蓋が開き、第１支持体の姿勢は突状体との接触を回避するように変化するものである。
【００１２】
このように構成すると、第１支持体の移動が突状体によって阻止されない。
【００１３】
請求項５記載の発明は、請求項４記載の発明の構成において、上蓋が所定量だけ収納方向に移動した時、第２突起体は下方傾斜部に係合すると共に下蓋が開き、第２支持体の姿勢は突状体との接触を回避するように変化するものである。
【００１４】
このように構成すると、第２支持体の移動が突状体によって阻止されず、上蓋と下蓋とは時間差をおいて同一方向に移動する。
【００１５】
請求項６記載の発明は、請求項２から請求項５のいずれかに記載の発明の構成において、第１軸体がガイド溝の収納方向における後端に当接した状態において、スライド体は更に収納方向に移動できるようにケース本体に係合するものである。
【００１６】
このように構成すると、第１突起体及び第２突起体の各々は上方傾斜部及び下方傾斜部の各々に沿って更に上方及び下方に移動する。
【００１７】
請求項７記載の発明は、請求項１から請求項６のいずれかに記載の発明の構成において、スライド体には、ケース本体に係合して収納方向へのスライド体の移動を阻止する第１位置とケース本体との係合が解除された第２位置との間で移動自在のロック体が取付けられ、ロック体は第１位置に移動するように付勢されるものである。
【００１８】
このように構成すると、通常時にはロック体によってスライド体の収納方向への移動が阻止される。
【発明の効果】
【００１９】
以上説明したように、請求項１記載の発明は、スライド体を収納方向に移動させると、上蓋及び下蓋が自動的に開くため、収納物の収納、取り出しが容易となる。又、ケース本体の側板部と上蓋の第１支持体及び下蓋の第２支持体とが係合するため、ケース本体と上蓋及び下蓋とが一体となる。
【００２０】
請求項２記載の発明は、請求項１記載の発明の効果に加えて、スライド体の移動量が所定範囲にある時には、上蓋及び下蓋のいずれも開かないように構成されているので、不用意に上蓋及び下蓋が開くことが無いため、収納時の信頼性が向上する。
【００２１】
請求項３記載の発明は、請求項２記載の発明の効果に加えて、上蓋及び下蓋に収納方向に力を加えてもケース本体側へ移動しないので、上蓋及び下蓋が第１案内溝の上方傾斜部及び第２案内溝の下方傾斜部にそれぞれ不用意に係合することは無いため、上蓋及び下蓋が開く虞が無い。
【００２２】
請求項４記載の発明は、請求項３記載の発明の効果に加えて、第１支持体の移動が突状体によって阻止されないので、上蓋はある程度開いた状態で収納方向へ移動する。
【００２３】
請求項５記載の発明は、請求項４記載の発明の効果に加えて、第２支持体の移動が突状体によって阻止されず、上蓋と下蓋とは時間差をおいて同一方向に移動するので、上蓋と下蓋とはある程度開いた状態で互いに緩衝すること無くスムースに収納方向に移動する。
【００２４】
請求項６記載の発明は、請求項２から請求項５のいずれかに記載の発明の効果に加えて、第１突起体及び第２突起体の各々は上方傾斜部及び下方傾斜部の各々に沿って更に上方及び下方に移動するので、上蓋及び下蓋はいずれもその開度が更に大きくなるため、使い勝手が向上する。
【００２５】
請求項７記載の発明は、請求項１から請求項６のいずれかに記載の発明の効果に加えて、通常時にはロック体によってスライド体の収納方向への移動が阻止されるので、不用意にスライド体が移動して上蓋及び下蓋が開くことが無いため、収納状態の信頼性が向上する。
【発明を実施するための最良の形態】
【００２６】
図１は、この発明の第１の実施の形態による彫刻刀ケースの閉口状態の外観形状を示す斜視図である。
【００２７】
図を参照して、彫刻刀ケース１１は、構成要素として、ケース本体１３と、スライド体１５と、上蓋１６と下蓋１７とからなる。尚、ケース本体１３は、ほぼ直方体形状を有し、その長手方向の一方面は開放されており、その一部は上蓋１６に、その残部は上蓋１６と嵌合する下蓋１７にそれぞれ覆われている。又、長手方向の他方面には後端部２０が形成されている。次に、ロック体１９が取付けられたスライド体１５は、ケース本体１３の周りを覆うように形成され、上蓋１６及び下蓋１７と後端部２０との間であって上蓋１６及び下蓋１７に当接する位置に設置されている。又、スライド体１５はケース本体１３に対して長手方向に摺動自在となるように取付けられている。
【００２８】
図２は、図１で示した彫刻刀ケースのスライド体を後端部側に少し移動させた状態を示した図である。
【００２９】
図を参照して、スライド体１５を長手方向であって一方面とは反対方向の収納方向に移動させると、スライド体１５と上蓋１６及び下蓋１７とが離れる。又、上蓋１６がケース本体１３に対して斜め上方に傾斜するように動き、下蓋１７がケース本体１３に対して斜め下方に傾斜するように動くと共に、上蓋１６及び下蓋１７も収納方向に移動する。その結果、彫刻刀ケース１１の端部が開き、ケース本体１３に収納されている彫刻刀２２が視認される。
【００３０】
このように、スライド体１３が収納方向へ移動すると、上蓋１６及び下蓋１７が自動的に開口すると共に、収納方向へ移動する。
【００３１】
図３は、図１及び図２で示したＩＩＩ−ＩＩＩラインの断面図である。
【００３２】
これらの図を参照して、図３の（１）は、図１で示したＩＩＩ−ＩＩＩラインの断面図であり、ケース本体１３の開口端部２１と、ロック体１９のラッチ部分２３とが係合している状態を示している。
【００３３】
次に、図３の（２）は、図２で示したＩＩＩ−ＩＩＩラインの断面図であり、ロック体１９の後端部２０側をケース本体１３側に押して、ラッチ部分２３を開口端部２１よりも上に持ち上げることで、開口端部２１とラッチ部分２３との係合状態が解除されている状態を示している。尚、ロック体１９は、図示しないバネ等によって常にラッチ部分２３が下方に移動するように付勢されている。
【００３４】
このように構成すると、ロック体１９を操作しない限り、開口端部２１とラッチ部分２３との係合により、スライド体１３の収納方向への移動が阻止される。
【００３５】
尚、後述するように、スライド体１５が移動しないと、上蓋１６及び下蓋１７は開口しないように彫刻刀ケース１１は構成されている。
【００３６】
図４は、図２で示した彫刻刀ケースのスライド体を後端部に当接する位置まで移動させた状態を示した図である。
【００３７】
図を参照して、スライド体１５を後端部２０に当接する位置まで移動させると、上蓋１６及び下蓋１７も更に開くと共に収納方向に移動し、ケース本体１３の開口部２４が現れる。
【００３８】
このように構成すると、彫刻刀ケース１１の開口部分が広くなるため、彫刻刀２２の取出しが容易となる。
【００３９】
又、下蓋１７をスタンドとして用いて、開口部２４を設置面から浮かせることで、彫刻刀２２の取り出しが更に容易となる。
【００４０】
図５は、図１の彫刻刀ケースを構成要素ごとに分解した斜視図である。
【００４１】
図を参照して、構成要素について詳述すると、ケース本体１３は、図１についての説明において記載した内容に加えて、他方面である後端部２０に対して長手方向の一方面に形成された開口部２４と、長手方向に平行な一対の側板部２６ａ及び２６ｂと、側板部２６ａ及び２６ｂの各々に長手方向に伸びるように形成されたガイド溝２７ａ及び２７ｂと、開口部２４の周縁であってガイド溝２７ａ及び２７ｂの延長線上に形成された一対の突状体２８ａ及び２８ｂとからなる。
【００４２】
スライド体１５は、図１についての説明において記載した内容に加えて、側板部２６ａ及び２６ｂの各々の一部を覆う一対の側方部３１ａ及び３１ｂと、側板部２６ａ及び２６ｂに対向する側方部３１ａ及び３１ｂの内面に形成され、スライド体１５の収納方向への移動に伴って上蓋１６及び下蓋１７が開くようにガイドする一対の第１案内溝３２ａ及び３２ｂ並びに、一対の第２案内溝３３ａ及び３３ｂと、側方部３１の上蓋１６及び下蓋１７側の端部に形成された一対の側方凹部５８ａ及び５８ｂと、ケース本体１３の上面の一部を覆う上面部３５と、ケース本体１３の底面の一部を覆う底面部３６と、上面部３５と一体的に形成され、ロック部１９を取付けた半円部分３７とからなる。
【００４３】
上蓋１６は、一対の側面部４０ａ及び４０ｂと、側面部４０ａ及び４０ｂに接続されて側板部２６ａ及び２６ｂの各々の外面に延びる一対の第１支持体４１ａ及び４１ｂと、第１支持体４１ａ及び４１ｂの端部において各々の内方に突出し、ガイド溝２７ａ及び２７ｂに係合して移動自在の一対の第１軸体４３ａ及び４３と、第１支持体４１ａ及び４１ｂの端部から所定距離離れた位置で各々の外方に延び、第１案内溝３２ａ及び３２ｂに係合する一対の第１突起体４４ａ及び４４ｂと、第１支持体４１ａ及び４１ｂの各々に形成された一対の第１凹み部４５ａ及び４５ｂと、第１突起体４４ａ及び４４ｂから所定距離離れた位置で各々の外方に形成され、スライド体１５の側方凹部５８ａ及び５８ｂの一部とそれぞれ係合する一対の第1凸部５９ａ及び５９ｂとからなる。
【００４４】
一方、下蓋１７は、側板部２６ａ及び２６ｂの各々の外面に延びる一対の第２支持体４７ａ及び４７ｂと、第２支持体４７ａ及び４７ｂの各々の端部において内方に突出し、ガイド溝２７ａ及び２７ｂに係合して移動自在の一対の第２軸体４９ａ及び４９ｂと、第２支持体４７ａ及び４７ｂの各々の端部から所定距離離れた位置で外方に延び、第１案内溝３２ａ及び３２ｂに係合する一対の第２突起体５０ａ及び５０ｂと、第２支持体４７ａ及び４７ｂの各々に形成された一対の第２凹み部４６ａ及び４６ｂと、第２突起体５０ａ及び５０ｂから所定距離離れた位置で各々の外方に形成され、スライド体１５の側方凹部５８ａ及び５８ｂの残部とそれぞれ係合する一対の第２凸部６０ａ及び６０ｂとからなる。
【００４５】
このように構成すると、ガイド溝２７ａ及び２７ｂの各々に第１軸体４３ａ及び４３ｂの各々が係合するため、ケース本体１３と上蓋１６とが一体的となる。同様に、ガイド溝２７ａ及び２７ｂの各々に第２軸体４９ａ及び４９ｂの各々が係合するため、ケース本体１３と下蓋１７とが一体的となる。
【００４６】
更に、第１案内溝３２ａ及び３２ｂの各々に第１突起体４４ａ及び４４ｂの各々が係合するため、スライド体１５と上蓋１６とが一体的となる。同様に、第２案内溝３３ａ及び３３ｂの各々に第２突起体５０ａ及び５０ｂの各々が係合するため、スライド体１５と下蓋１７とが一体的となる。
【００４７】
そして、スライド体１５はケース本体１３に取付けられるので、ケース本体１３とスライド体１５と上蓋１６と下蓋１７とが一体的となる。
【００４８】
図６は、図１の彫刻刀ケースの開口過程を示した概略側面図である。
【００４９】
図においては、彫刻刀ケース１１の側面視の一方を表しているが、他方の側面視も同様である。又、説明の便宜上、スライド体１５と第１案内溝３２と第２案内溝３３とは２点鎖線で表しており、第１軸体と第２軸体とは実線で表している。
【００５０】
まず、図６の（１）を参照して、第１軸体４３及び第２軸体４９がガイド溝２７に係合している。又、第１突起体４４及び第２突起体５０が、長手方向に平行な第１案内溝３２の第１水平部５２及び長手方向に平行な第２案内溝３３の第２水平部５５にそれぞれ係合している。更に、上蓋１６及び下蓋１７の第１凹み部４５及び第２凹み部４６によって形成された空間に突状体２８が位置しているため、第１支持体４１及び第２支持体４７と突状体２８とが係合している。更に、初期位置にあるスライド体１５の側方凹部５８と上蓋１６の第１凸部５９及び下蓋１７の第２凸部６０とが係合している。これらにより、上蓋１６及び下蓋１７に収納方向の力が加わっても、上蓋１６及び下蓋１７の収納方向への移動は突状体２８と側方凹部５８とによって阻止される。又、上蓋１６及び下蓋１７を開口させる方向への力が加わっても、上蓋１６及び下蓋１７の上下方向への移動は第１水平部５２と第１突起体４４との係合、第２水平部５５と第２突起体５０との係合、及び側方凹部５８と第１凸部５９と第２凸部６０との係合によって阻止される。尚、この状態にあっては、スライド体１５はロック体１９によって収納方向への移動が阻止されているロック状態にあるので、これらの位置関係は変わることがない。したがって不用意に上蓋１６及び下蓋１７は開口することはない。
【００５１】
次に、図６の（２）を参照して、上述のロック体１９によるロック状態を解除して、スライド体１５を収納方向に移動させる。この時、スライド体１５が所定の位置に移動するまでは第１突起体４４及び第２突起体５０と第１水平部５２及び第２水平部５５とが係合しており、上蓋１６及び下蓋１７の水平状態が保たれる。このため、第１支持体４１及び第２支持体４７と突状体２８とは係合したままであり、上蓋１６及び下蓋１７の収納方向への移動も阻止されたままである。よって、第１突起体４４及び第２突起体５０と第１水平部５２及び第２水平部５５とが係合している間は、上蓋１６及び下蓋１７は開口されない。スライド体１５が移動を続け、所定の位置を越えると、第１突起体４４と、第１水平部５２の上蓋１６側の端部に接続されて上蓋１６側に向かって斜め上方に延びる第１案内溝３２の上方傾斜部５３とが係合する。尚、この時にはスライド体１５は上蓋１６及び下蓋１７側の先端位置から離れているため、側方凹部５８と第１凸部５９との係合状態は解除されており、上蓋１６の上方への動きは妨げられない。よって、第１突起体４４は上方傾斜部５３の傾斜に沿って斜め上方に案内され、上蓋１６が斜め上方に傾く。その結果、第１支持体４１の姿勢が突状体２８を回避するように変化し、第１支持体４１と突状体２８との係合状態が解除され、上蓋１６の収納方向への移動が可能となる。この時、下蓋１７は、第２突起体５０が第２水平部５５に係合しているため水平状態が続いているので、下蓋１７の収納方向への移動は突状体２８によって阻止されたままである。
【００５２】
次に、図６の（３）を参照して、図６の（２）の状態から更にスライド体１５を収納方向に移動させると、第２突起体５０と、第２水平部５５の下蓋１７側の端部に接続されて下蓋１７側に向かって斜め下方に延びる第２案内溝３３の下方傾斜部５６とが係合する。尚、上述の通りスライド体１５は下蓋１７側の先端（初期）位置からも離れているため、側方凹部５８と第２凸部６０との係合状態は解除されており、下蓋１７の上方への動きも妨げられない。よって、第２突起体５０は下方傾斜部５６の傾斜に沿って斜め下方に向かって案内され、下蓋１７が斜め下方に傾く。その結果、第２支持体４７の姿勢が突状体２８を回避するように変化し、第２支持体４７と突状体２８との係合状態が解除され、下蓋１７の収納方向への移動が可能となる。尚、この時上蓋１６の第１支持体４１は先行して収納方向に移動しているため、第２支持体４７の姿勢の変化は、第１支持体４１とは当接せずにスムースに行われる。
【００５３】
このように、上蓋１６と下蓋１７とは互いに緩衝することなくスムースに移動すると共に、上蓋１６と下蓋１７とは時間差をおいて収納方向へ移動することが可能となる。
【００５４】
尚、スライド体１５の移動に伴って、上蓋１６の第１突起体４４は上方傾斜部５３の傾斜に沿って更に斜め上方に案内されるため、上蓋１６の開度は図６の（２）の状態から更に大きくなる。又、第１突起体４４と上方傾斜部５３とが水平方向に係合するため、上蓋１６もスライド体１５の移動に伴って、収納方向に力が加わることになる。その結果、上蓋１６は第１軸体４３を介してガイド溝２７に案内されながら収納方向に移動する。同様に下蓋１７は第２軸体４９を介してガイド溝２７に案内されながら収納方向に移動する。こうして、上蓋１６及び下蓋１７は、開口状態を保ったまま収納方向に移動する。
【００５５】
次に、図６の（４）を参照して、図６の（３）の状態から更に収納方向にスライド体１５を移動させると、上蓋１６及び下蓋１７も、上述のように収納方向に移動する。そうして移動を続けた結果、第１軸体４３がガイド溝２７の収納方向における後端に当接すると、上蓋１６及び下蓋１７の第１軸体４３及び第２軸体４９の収納方向への移動が停止する。この状態から更にスライド体１５を収納方向に移動させると、第１突起体４４及び第２突起体５０が上方傾斜部５３及び下方傾斜部５６の最端部まで案内される。その結果、上蓋１６及び下蓋１７の第１軸体４３及び第２軸体４９の収納方向への移動が停止した後に上蓋１６及び下蓋１７の開度が更に大きくなる。そして、スライド体１５が後端部２０に当接してスライド体１５が停止すると、上蓋１６及び下蓋１７の開度が保たれたまま、開口過程が終了する。
【００５６】
この構成において、上蓋１６及び下蓋１７の内部に、これらの移動時に側板部上面６２及び側板部下面６３に当接する突起を設けても良い。すると、スライド体１５を収納方向に移動させた時にこの突起が側板部上面６２及び側板部下面６３に案内され、その結果、上蓋１６及び下蓋１７は移動開始後すぐに最大開度まで開くことになり、使い勝手が良い。又、上蓋１６及び下蓋１７の開口状態において、これらを閉じる方向に向かって押す力を加えても、この突起と側板部上面６２及び側板部下面６３とが係合しているため、上蓋１６及び下蓋１７のケース本体１３側に向かう動きが阻止される。よって、上蓋１６及び下蓋１７が不用意に閉じるのを防止し、開口状態を保つことが可能となる。
【００５７】
尚、上記の実施の形態では、収納ケースとして彫刻刀ケースを例として示しているが、彫刻刀ケース以外の収納ケースにも同様に適用できる。
【００５８】
又、上記の実施の形態では、第１案内溝は第１水平部と上方傾斜部とを有しているが、上蓋が開くようにガイドするものであれば他の溝形状でもよい。
【００５９】
更に、上記の実施の形態では、第２案内溝は第２水平部と下方傾斜部とを有しているが、下蓋が開くようにガイドするものであれば他の溝形状でもよい。
【００６０】
更に、上記の実施の形態では、突状体が形成されていたが、これはなくてもよい。
【００６１】
更に、上記の実施の形態では、上蓋と下蓋とが時間差をおいて移動するように構成されていたが、これらが同時に移動できるように第２支持体の形状が構成されていてもよい。
【００６２】
更に、上記の実施の形態では、第１軸体がガイド溝の収納方向における後端に当接した状態において、スライド体は更に収納方向に移動できるようにケース本体に係合していたが、ここでスライド体の移動が終了するように係合されていてもよい。
【００６３】
更に、上記の実施の形態では、スライド体にはロック体が取り付けられていたが、これはなくてもよい。
【００６４】
更に、上記の実施の形態では、ガイド溝と、第１案内溝と、第２案内溝と、第１軸体と、第２軸体と、第１突起体と、第２突起体とが、それぞれ一対ずつ構成されていたが、これらは片方のみでもよい。
【図面の簡単な説明】
【００６５】
【図１】この発明の第１の実施の形態による彫刻刀ケースの閉口状態の外観形状を示す斜視図である。
【図２】図１で示した彫刻刀ケースのスライド体を後端部側に少し移動させた状態を示した図である。
【図３】図１及び図２で示したＩＩＩ−ＩＩＩラインの断面図である。
【図４】図２で示した彫刻刀ケースのスライド体を後端部に接する位置まで移動させた状態を示した図である。
【図５】図１の彫刻刀ケースを構成要素ごとに分解した斜視図である。
【図６】図１の彫刻刀ケースの開口過程を示した概略側面図である。
【符号の説明】
【００６６】
１１…彫刻刀ケース
１３…ケース本体
１５…スライド体
１６…上蓋
１７…下蓋
１９…ロック体
２６…側板部
２７…ガイド溝
２８…突状体
３１…側方部
３２…第１案内溝
３３…第２案内溝
４１…第１支持体
４３…第１軸体
４４…第１突起体
４７…第２支持体
４９…第２軸体
５０…第２突起体
５２…第１水平部
５３…上方傾斜部
５５…第２水平部
５６…下方傾斜部
尚、各図中同一符号は同一又は相当部分を示す。
【図１】
0004613195.tif 000002
【図２】
0004613195.tif 000003
【図３】
0004613195.tif 000004
【図４】
0004613195.tif 000005
【図５】
0004613195.tif 000006
【図６】
0004613195.tif 000007